(57)【要約】【課題】バックライトモジュールを小型化すること。【解決手段】バックライトモジュール１０１は、バックライトを収容する筐体であり、冷陰極管１０２及び導光板１０３を収容している。冷陰極管１０２は、赤、緑、青の冷陰極管であり、端部が導光板１０３の入射口から外れるように、導光板１０３の入射口のない側面に沿って折り曲げられている。導光板１０３は、一側面に入射口が設けられ、冷陰極管１０２から発光された光を入射口から取り込む。取り込んだ光は、照射面から平面光として照射され、液晶等の表示パネルを表示させる。【選択図】      図１
2004247125.tif 000002
【特許請求の範囲】
【請求項１】
液晶パネルと、
前記液晶パネルの裏面側に設けられ、少なくとも一側面が光の入射口となっている導光板と、
前記入射口に沿って配設されていると共に端部が前記入射口から外れるように屈曲され、時分割で順次点灯する複数の放電管と、を具備することを特徴とする液晶表示装置。
【請求項２】
前記液晶パネル、前記導光板及び前記複数の放電管を収容する筐体を具備し、前記複数の放電管を前記筐体の外形に沿って屈曲させることを特徴とする請求項１に記載の液晶表示装置。
【請求項３】
前記複数の放電管に給電を行う複数の給電部が形成された基板と、
前記基板に形成された給電部間に設けられた所定幅及び所定長を有するスリットと、を具備することを特徴とする請求項１又は請求項２に記載の液晶表示装置。
【請求項４】
前記放電管を保持するホルダーに、絶縁体からなり、前記スリットに嵌合する突起を形成したことを特徴とする請求項３に記載の液晶表示装置。
【請求項５】
前記基板は、前記複数の放電管の電線を固定する切り欠き部を具備することを特徴とする請求項３又は請求項４に記載の液晶表示装置。
【発明の詳細な説明】
【０００１】
【発明の属する技術分野】
本発明は、液晶表示装置に関し、例えば、フィールドシーケンシャル方式を採用する液晶表示装置に適用して好適なものである。
【０００２】
【従来の技術】
従来、複数の放電管を順次点灯させ、液晶画面を表示させる方法が考えられている。このような方式を用いたカラー化方式に、フィールドシーケンシャル方式（以下、「ＦＳ方式」と略す）がある。以下、このＦＳ方式について説明する。
【０００３】
図６は、従来のＦＳ方式を用いた液晶表示装置のサイドライト方式バックライトの構造を示す分解斜視図である。この図において、冷陰極管（放電管）１１〜１３は、光源であり、冷陰極管１１が赤（Ｒ）を発色し、冷陰極管１２が緑（Ｇ）を発色し、冷陰極管１３が青（Ｂ）を発色する。以下において、冷陰極管１１〜１３をそれぞれＲ管１１、Ｇ管１２、Ｂ管１３ということがある。冷陰極管１１〜１３は、導光板１５の入射口に対して平行に配置されている。ランプリフレクタ１４は、冷陰極管１１〜１３から発光された光を効率良く導光板１５に導く。導光板１５では、冷陰極管１１〜１３と平行に位置する入射口から冷陰極管１１〜１３で発光された光を取り込み、取り込んだ光は導光板１５中を全反射しながら伝わり、拡散板１６に平面光として照射される。拡散板１６は、導光板１５から照射された光を拡散させ、均一な照光面を作る。反射板１７は、光を有効に拡散板１６側に集める。
【０００４】
このようなバックライト構造において、Ｒ管１１、Ｇ管１２、Ｂ管１３を時分割で順次点灯させ、人体の網膜上に映る残像を利用することにより、見かけ上、単色で発光した光を混色させて任意の色を得ることができる（特許文献１参照）。例えば、Ｒ管１１を点灯させているとき、Ｇ管１２、Ｂ管１３は非点灯状態にある。ところで、Ｇ管１２、Ｂ管１３は非点灯状態にあるが、点灯しているＲ管１１の高圧側の影響、すなわち、高電界を有する電磁波の影響により、非点灯状態にあるＧ管１２の高圧側が光電効果を起こし、電子の放出が始まる。Ｇ管１２内では、電子が水銀ガスの原子に衝突し、紫外線を発生する。この紫外線が蛍光物質を励起して発光点灯に至る。このため、図７の有効発光面２０において、斜線部分で示した領域で点灯状態のＲ管１１が発光した光と混色を起こしてしまう。なお、ここでは、説明の便宜上、高圧側についてのみ説明しているが、低圧側においても同様の現象が発生する。
【０００５】
そこで、従来、図８に示すように、冷陰極管の干渉を起こす部分を導光板の入射口から離れるように管長を長くし、非点灯時の管が干渉により発光しても、有効発光面２０において混色を起こさないようにしている。
【０００６】
【特許文献１】
特開平５−１９２７５号公報
【０００７】
【発明が解決しようとする課題】
しかしながら、導光板の入射口に対して管長を長くすると、バックライト構造の大型化を招いてしまうという問題がある。具体的には図８に示すように、バックライトを固定、収容するバックライトモジュール２１が有効発光面よりはるかに大きくなってしまい、バックライトモジュール２１に図８の点線で囲んだ領域２２が余分なスペースとして生じてしまう。特に、小型化のニーズが高い液晶表示装置において、装置規模の大型化は好ましいものではない。
【０００８】
本発明は、かかる点に鑑みてなされたものであり、バックライトモジュールを小型化する液晶表示装置を提供することを目的とする。
【０００９】
【課題を解決するための手段】
かかる課題を解決するため、本発明の液晶表示装置は、液晶パネルと、前記液晶パネルの裏面側に設けられ、少なくとも一側面が光の入射口となっている導光板と、前記入射口に沿って配設されていると共に端部が前記入射口から外れるように屈曲され、時分割で順次点灯する複数の放電管と、を具備する構成を採る。
【００１０】
本発明の液晶表示装置は、前記液晶パネル、前記導光板及び前記複数の放電管を収容する筐体を具備し、前記複数の放電管を前記筐体の外形に沿って屈曲させる構成を採る。
【００１１】
これらの構成によれば、放電管の端部を導光板の入射口から外れるように屈曲したことにより、非点灯状態の放電管が干渉により発光した光は導光板に入射されず、液晶パネルで混色を起こすことを防ぐことができると共に、放電管や導光板を収容するバックライトモジュールを小型化することができる。
【００１２】
本発明の液晶表示装置は、前記複数の放電管に給電を行う複数の給電部が形成された基板と、前記基板に形成された給電部間に設けられた所定幅及び所定長を有するスリットと、を具備する構成を採る。
【００１３】
この構成によれば、複数の放電管にそれぞれ給電を行う給電部の間にスリットを設けることにより、高電圧で給電する給電部同士が互いに電気的な影響を及ぼし合うのを防止し、かつ、給電部間の距離を短くすることができるので、基板の大きさを小さくすることができる。
【００１４】
本発明の液晶表示装置は、前記放電管を保持するホルダーに、絶縁体からなり、前記スリットに嵌合する突起を形成した構成を採る。
【００１５】
この構成によれば、給電部同士が互いに電気的な影響を及ぼし合うのをさらに防止し、かつ、給電部間の距離をさらに短くすることができる。また、冷陰極管をホルダーに保持させることにより冷陰極管に接続された電線の位置決めを行うことができ、電線を給電部に接続する際に、容易に接続することができる。
【００１６】
本発明の液晶表示装置は、前記基板が、前記複数の放電管の電線を固定する切り欠き部を具備する構成を採る。
【００１７】
この構成によれば、給電部と冷陰極管からの電線とを接続する際に、簡易に接続することができるため、効率良く製造することができる。
【００１８】
【発明の実施の形態】
本発明の骨子は、複数の放電管を時分割で順次点灯させる液晶表示装置において、非点灯状態の放電管が点灯状態の放電管の干渉により点灯する部分が、導光板の入射口から外れるように、放電管を屈曲させることである。これにより、バックライトモジュールの外形を小型化することができる。
【００１９】
（一実施の形態）
この実施の形態では、フィールドシーケンシャル方式を用いた液晶表示装置を例に挙げ説明する。
【００２０】
図１は、本発明の一実施の形態に係るバックライト構造を示す正面図である。この図において、バックライトモジュール１０１は、バックライトを固定、収容する筐体であり、放電管としての冷陰極管１０２及び導光板１０３を収容している。なお、バックライトモジュール１０１は、液晶パネル、冷陰極管、拡散板、反射板、電源回路等も収容しているが、説明の便宜上、冷陰極管１０２及び導光板１０３のみ図示するものとする。
【００２１】
冷陰極管１０２は、赤色を発光する冷陰極管（Ｒ管）であり、冷陰極管１０２の奥側に緑色を発光する冷陰極管（Ｇ管）、青色を発光する冷陰極管（Ｂ管）が配列されており、各管は同一の形状を有している。これらの冷陰極管は、端部が導光板１０３の入射口から外れるように、導光板１０３の側面に沿って折り曲げられている。
【００２２】
ここで、バックライト構造を示す斜視図を図２に示したので、図２を参照する。この図に示すように、Ｒ管１０２−１、Ｇ管１０２−２、Ｂ管１０２−３は、バックライトの厚さ方向に配列されている。これにより、バックライトモジュール１０１のフレーム部分の厚みを、従来の冷陰極管３本分から１本分に削減することができる。
【００２３】
導光板１０３は、一側面に入射口が設けられ、冷陰極管１０２から発光された光を入射口から取り込む。取り込んだ光は、照射面から平面光として照射され、図示せぬ液晶パネルを表示させる。なお、入射口が設けられた一側面以外の側面は、入射口が設けられておらず、冷陰極管１０２が干渉により発光した光は、導光板１０３内に入射することはない。
【００２４】
このように、冷陰極管１０２の端部を導光板１０３の側面に沿って折り曲げると、非点灯状態の冷陰極管１０２が干渉により発光する部分が入射口のない導光板１０３の側面に位置するため、液晶パネルでの混色を防止しつつ、バックライトモジュール１０１の外形を小型化することができる。
【００２５】
なお、冷陰極管１０２の端部を折り曲げる際には、バックライトモジュールの外形に沿って折り曲げてもよい。要は、非点灯状態の冷陰極管１０２が干渉により発光した光が導光板に入射されないように、冷陰極管１０２を折り曲げ、バックライトモジュール１０１の外形を小型化できればよい。
【００２６】
次に、冷陰極管に電圧を供給する給電部について説明する。冷陰極管は、数千ボルトの高電圧を必要とすることから、図３に示すように、各冷陰極管に給電する電線が給電部３０１において、互いに電気的な影響を及ぼし合うことを防止するため、各電線の給電部３０１間に所定の間隔を設ける必要がある。このため、バックライト構造の大型化の要因となっている。そこで、本実施の形態では、図４（ａ）に示すように、各給電部３０１間に所定幅及び所定長を有するスリット４０１を設けることで、各電線の給電部３０１同士が電気的な影響を及ぼし合わないようにした。このように、各給電部３０１間にスリット４０１を設けることにより、スリットを設けない場合に比べ、給電部３０１間の距離を縮めることができ、バックライト構造の小型化に寄与することができる。
【００２７】
さらに、給電部３０１間の距離を短くするため、図４（ｂ）に示すようなホルダー４０２を設けた。ホルダー４０２は、櫛状の突起を有し、ゴムなどの絶縁体からなり、冷陰極管１０２−１〜１０２−３の端部を保持している。図４（ｂ）では、図面の見やすさを考慮し、冷陰極管１０２−１の端部のみ透視部分を点線で示した。冷陰極管１０２−２及び１０２−３も冷陰極管１０２−１と同様に保持されている。ホルダー４０２の突起部をスリット４０１に嵌合し、一体化させる。なお、櫛状の突起部分は基板の厚さ方向に所定の大きさを有していることが望ましく、これにより、給電部３０１間で電気的な影響を及ぼし合うことをさらに防止することができるので、給電部３０１間の距離をさらに縮めることができる。
【００２８】
また、従来、冷陰極管に接続された電線は、図３に示すように、基板に設けられた小さい孔（給電部３０１）に細い電線を通さなければならず、しかも、３本の管について行うため、製造上、困難を要し、効率が悪いという問題がある。これに対し、上述したホルダー４０２を設けたことにより、ホルダー４０２が冷陰極管を保持するため、冷陰極管に接続された電線の位置決めを行うことができ、ホルダーの突起をスリット４０１に嵌合することで電線を給電部に接続する際に容易に行うことができる。
【００２９】
また、本実施の形態では、従来の製造上の困難を排するため、図５（ａ）に示すように、給電部の基板に半円状の切り欠きを設けた。切り欠き部５０１には給電線５０２が配設されており、図５（ｂ）に示すように、冷陰極管に接続された電線を切り欠き部５０１に固定し、給電線５０２と半田付け等により接続する。
これにより、小さい孔に細い電線を通すことがなくなり、製造上の困難を排し、効率よく製造することができる。なお、本実施の形態では、基板に半円状の切り欠き部を設けたが、切り欠きの形状は半円に限らず、三角形、スリット形状等が考えられる。また、上述した図４（ａ）や図４（ｂ）のようなスリット形状や、ホルダーを設けた場合と組み合わせることも可能である。
【００３０】
このように本実施の形態によれば、赤、緑、青の各色をそれぞれ発光する冷陰極管を時分割で順次点灯するフィールドシーケンシャル方式を用いた液晶表示装置において、非点灯時における高圧側の管が点灯管の影響により発光する干渉部分を導光板の入射口のない側縁部に沿って配置するように冷陰極管を折り曲げることにより、バックライトモジュールの外形を小型化することができる。
【００３１】
なお、本実施の形態では、フィールドシーケンシャル方式を用いた液晶表示装置を例に挙げ説明したが、本発明はこれに限らず、複数の放電管による順次点灯装置に適用することができる。
【００３２】
また、本実施の形態では、冷陰極管を折り曲げているのは一端のみであるが、本発明はこれに限らず、冷陰極管の高圧側及び低圧側の両端で干渉が発生しうるので、両端を折り曲げることも考えられる。
【００３３】
【発明の効果】
以上説明したように、本発明によれば、複数の放電管を時分割で順次点灯させる液晶表示装置において、非点灯状態の放電管が点灯状態の放電管の干渉により点灯する部分が、導光板の入射口から外れるように、放電管を屈曲させることにより、バックライトモジュールの外形を小型化することができる。
【図面の簡単な説明】
【図１】本発明の一実施の形態に係るバックライト構造を示す正面図
【図２】本発明の一実施の形態に係るバックライトにおける冷陰極管の外形を示す斜視図
【図３】従来のバックライトにおける給電部の基板形状を示す斜視図
【図４】本発明の一実施の形態に係るバックライトにおける給電部の基板形状を示す斜視図
【図５】本発明の一実施の形態に係るバックライトにおける給電部の基板形状を示す図
【図６】従来のフィールドシーケンシャル方式を用いた液晶表示装置のサイドライト方式バックライトの構造を示す分解斜視図
【図７】従来のサイドライト方式バックライトの構造を示す正面図
【図８】従来のバックライト構造における問題点を説明するための図
【符号の説明】
１０１  バックライトモジュール
１０２  冷陰極管
１０３  導光板
３０１  給電部
４０１  スリット
５０１  切り欠き部
【図１】
2004247125.tif 000003
【図２】
2004247125.tif 000004
【図３】
2004247125.tif 000005
【図４】
2004247125.tif 000006
【図５】
2004247125.tif 000007
【図６】
2004247125.tif 000008
【図７】
2004247125.tif 000009
【図８】
2004247125.tif 000010